(57)【要約】【課題】  刀剣や古美術品といった相場のわかり難い商品を適正な価格を誘導するようにして公正で信頼性の高いネットオークションシステムを提供する。【解決手段】  ネットワークに接続されるオークション管理運営サイトと、売り手側端末と、買い手側端末とからなるネットオークションシステムであり、管理運営サイトは、売り手側端末から提供された商品情報及び商品現物を評価し、そのサーバにおいて、当該商品情報並びにエスティメート下限価格及び上限価格並びに入札期限とを表示する一方、これに基づいて買い手側端末からの入札を受け付けてその価格を表示し、入札期限到来の時点で、エスティメート上下限価格内でのみ入札があった場合は、その最高価格で入札した買い手側端末を落札者として表示するとともに、エスティメート上限価格を超えた価格で入札があった場合、当該入札を取り止めて管理運営サイトが定める最終落札者交渉に移行する旨を表示することを特徴とするネットオークションシステム。【選択図】  図１
2007193746.tif 000002
【特許請求の範囲】
【請求項１】
ネットワークに接続されるオークション管理運営サイトと、売り手側端末と、買い手側端末とからなるネットオークションシステムであり、管理運営サイトは、売り手側端末から提供された商品情報及び商品現物を評価し、そのサーバにおいて、当該商品情報並びにエスティメート下限価格及び上限価格並びに入札期限とを表示する一方、これに基づいて買い手側端末からの入札を受け付けてその価格を表示し、入札期限到来の時点で、エスティメート上下限価格内でのみ入札があった場合は、その最高価格で入札した買い手側端末を落札者として表示するとともに、エスティメート上限価格を超えた価格で入札があった場合、当該入札を取り止めて管理運営サイトが定める最終落札者交渉に移行する旨を表示することを特徴とする刀剣、古美術品等のネットオークションシステム。
【請求項２】
エスティメート上限価格を超えた価格で入札があった場合、管理運営サイトが定める最終入札価格までは入札を続行してこの範囲の価格で入札したすべての買い手側端末に管理運営サイトが仲介する最終落札者交渉で落札者を決定する旨を告知するとともに、最終入札価格を超えた価格で入札があった場合、当該入札を受け付けず、かつ、当該買い手側端末に落札者最終交渉で落札者を決定する旨を告知する請求項１の刀剣、古美術品等のネットオークションシステム。
【請求項３】
買い手側端末からの入札価格が特定金額単位の積み上げ方式である請求項１又は２の刀剣、古美術品等のネットオークションシステム。
【請求項４】
管理運営サイトは、商品の落札者に対し、その商品の評価に応じた価格で自己が買い取る旨を表示する請求項１〜３いずれか１項の刀剣、古美術品等のネットオークションシステム。
【請求項５】
エスティメート上下限価格内での価格で入札があった後、一定期間これを超えた価格での入札がない場合、管理運営サイトは、当該入札者を落札者と認める請求項１〜４いずれか１項の刀剣、古美術品等のネットオークションシステム。
【請求項６】
対面式のオークションにおける入札情報を取り込んで表示する請求項１〜５いずれか１項の刀剣、古美術品等のネットオークションシステム。
【請求項７】
商品が刀剣、古美術品、骨董品である請求項１〜６いずれか１項の刀剣、古美術品等のネットオークションシステム。
【発明の詳細な説明】
【技術分野】
【０００１】
本発明は、相場のわかり難い刀剣、古美術品といった商品のネットオークションシステムに関するものである。
【背景技術】
【０００２】
インターネット等のネットワークを利用したネットオークションは、買い手がオークション会場に居なくても、入札、落札できるため、現在では、盛んに行なわれている。ネットオークションに関する先行文献としては、例えば、特許文献１及び２がある。特許文献１は、中古車を取引するオークションであり、特許文献２は、電子部品を取引するオークションであり、それぞれ商品の特性に応じた仕組みを構築している。一般に、オークションでは、入札価格が問題となり、最高価格を入札した者が落札するのが原則である。
【０００３】
ところが、商品によっては、この原則によるのが適当でないことがある。例えば、刀剣、古美術品、骨董品といった商品は、非常に相場がわかり難い商品であり、同種の商品でも、その価格に格段の相違があること、通常ではその真偽や価値（価格）がよくわからないといったことから、最高入札者を即落札者とするのは適切とはいえない。確かな鑑定と価格知識を有する専門家が専門知識による主観的・普遍的な評価（鑑定）してこそ、その適性な価格が決定される。
【特許文献１】特開２００３−０８５４０８公報
【特許文献２】特開２００２−１８９９２６公報
【発明の開示】
【発明が解決しようとする課題】
【０００４】
本発明が解決しようとする課題は、上記した商品、中でも美術的価値が高くて数が限られている日本刀剣のオークションに適し、これに関して最も正当な専門知識と価値判断を有するオークション管理運営者（本出願人）が出品される商品について自らの査定に基づき普遍的に評価するとともに、その評価に基づいて適性な入札価格範囲を決定することで、一部の好事家、一般の愛好家を問わず、公正で信頼性の高いネットオークションシステムを構築しようとするものである。同時に、それに伴って日本文化の基礎を築いてきた美術日本刀剣を厳格に指導、教授し、普及と啓蒙を図るためのものである。
【０００５】
すなわち、世界に類を見ない日本の歴史と文化を創造してきた美術日本刀剣を公正、かつ適正な価格の下で、顧客に対して安全な売買を保証し、また、同時に美術日本刀剣の価格を維持するとともに、美術日本刀剣を厳格に指導、教授し、普及と啓蒙を図ることを基本理念としたものである。本発明に係るオークションシステムでは、厳重な規約を作成し、この規約に同意したもののみが参加することができる完全会員制として、美術日本刀剣に対して真剣に取り組む会員のみを対象としている。そして、オークションに参加するには規約に同意し、遵守することを絶対条件としている。また、オークションの円滑な運営のため、不正行為を監視し、排除することとし、警告に応じられない場合は厳正に対処する。たとえ、会員として認められていたとしても、管理運営者が不適当と判断した場合には、即座に参加資格を取り消し、会員資格を抹消するようにしている。
【課題を解決するための手段】
【０００６】
本発明は、以上の課題の下、請求項１に記載した、ネットワークに接続されるオークション管理運営サイトと、売り手側端末と、買い手側端末とからなるネットオークションシステムであり、管理運営サイトは、売り手側端末から提供された商品情報及び商品現物を評価し、そのサーバにおいて、当該商品情報並びにエスティメート下限価格及び上限価格並びに入札期限とを表示する一方、これに基づいて買い手側端末からの入札を受け付けてその価格を表示し、入札期限到来の時点で、エスティメート上下限価格内でのみ入札があった場合は、その最高価格で入札した買い手側端末を落札者として表示するとともに、エスティメート上限価格を超えた価格で入札があった場合、当該入札を取り止めて管理運営サイトが定める最終落札者交渉に移行する旨を表示することを特徴とする刀剣、古美術品等のネットオークションシステムを提供したものである。
【０００７】
そして、本発明は、これにおいて、請求項２に記載した、エスティメート上限価格を超えた価格で入札があった場合、管理運営サイトが定める最終入札価格までは入札を続行してこの範囲の価格で入札したすべての買い手側端末に管理運営サイトが仲介する最終落札者交渉で落札者を決定する旨を告知するとともに、最終入札価格を超えた価格で入札があった場合、当該入札を受け付けず、かつ、当該買い手側端末に落札者最終交渉で落札者を決定する旨を告知する刀剣、古美術品等のネットオークションシステムを提供する。
【発明の効果】
【０００８】
請求項１の発明によると、管理運営者は、売り手側から提供された商品情報のみならず、現物までも適性に評価し、それに基づいて公正な価格のエスティメート下限価格と上限価格とを決定して表示するものであるから、公平性と信頼性を確保できる。一方、入札価格がエスティメート上限価格を超えると、ネットによる入札を実質的に打ち切るものであるから、一般の愛好家の資産を保全する。この場合の管理運営者は、長期の経験と実務に基づく、商品に対して確かな鑑定と価格知識を有していることによる。
【０００９】
本システムは、エスティメート上下限内で落札されるのが一般的である。しかし入札価格がエスティメート上限価格を超えた場合でも利用できるようにしている。具体的には、請求項２の発明によるのであるが、管理運営者が定めた最終入札価格までは入札を受け付けるのである。そして、そのすべての買い手側に別の方法による最終落札者交渉によって落札者を決定する旨を告げる。この最終入札価格は、エスティメート上限価格の１５〜２０％増し程度で、あくまで入札者が安全に、落札後においても後悔なく納得できる価格設定を促し、公平性と信頼性を確保するものである。さらに、最終入札価格を超えた入札は受け付けないことで、投機的、作為的、計画的な買い付けを避けて値段のつり上げを防護する。したがって、正確な情報・品質管理がなされたオークションシステムの構築となっている。
【発明を実施するための最良の形態】
【００１０】
以下、本発明の実施の形態を、美術日本刀剣を例にとって図面を参照して説明するが、商品はこれらに限定されるものではない。図１は本発明の一例を示すネットオークションシステムの構成図であるが、インターネット等のネットワーク１にオークション管理運営サイト（以下、管理運営サイトである出願人の名称をとってＡＪＡＳ（Ando Japanese Art Sword ) と称する）サイト２、売り手側（Ｓｅｌｌｅｒ）端末３及び買い手側（Ｂｕｙｅｒ）端末４が接続している。この場合のＳｅｌｌｅｒ端末３とＢｕｙｅｒ端末４とは、フレキシブルなものであり、Ｓｅｌｌｅｒ端末３とＢｕｙｅｒ端末４とが全く逆の立場になることもある。
【００１１】
図２はネットオークションの運用図であるが、ＡＪＡＳサイト２は、Ｓｅｌｌｅｒ端末３側の情報として、商品に関しての詳細情報や画像といった商品管理に関するデータベース５と、Ｂｕｙｅｒ端末４側の情報として、購入履歴やその購入価格といった個人管理に関するデータベース６を有している。また、これらの情報から得た商品の詳細情報、画像、エスティメート下限価格、エスティメート上限価格、入札期限といったオークション情報に関するデータベース７も有している。さらに、ＡＪＡＳサイト２のハードディスク８には、顧客登録、入札商品照会、入札申込み、商品検索といった情報を格納している。
【００１２】
ところで、ＡＪＡＳサイト２のホストコンピュータは、一般的なそれと同様に入力装置、記憶装置、演算装置、表示装置、出力装置といったものを有しており、各種情報を入力してそれぞれの装置で記憶、演算、表示、出力を行ない、かつＳｅｌｌｅｒ端末３やＢｕｙｅｒ端末４と情報をやりとりするが、これにおける各種の情報処理は、格段新しいものではない。すなわら、コンピュータに求められる所定の処理や操作は、従来の手法に則って行われれば十分である。
【００１３】
このネットオークションに参加するには、Ｂｕｙｅｒ端末４には会員登録をして貰う。この会員登録には、氏名、住所、生年月日、性別、職業、クレジット番号、電話番号、ＦＡＸ番号、メールアドレス等を申告して貰う。この申告は、書面や電話でもよいが、原則としてＡＪＡＳサイト２のホームページに申し込んで貰う。ＡＪＡＳサイト２は、これを審査して会員と認めるか否かを判断する。会員と認めた場合には、この情報をデータベース５に記憶し、そのＢｕｙｅｒ端末４にログインＩＤとパスワードを付与する。
【００１４】
Ｓｅｌｌｅｒ端末３は、自己が保有する商品をＡＪＡＳサイト２のホームページに出品するのであるが、これに先立ってＡＪＡＳサイト２は商品を鑑定、評価する。この鑑定は、原則として無料であり、ＡＪＡＳサイト２に鑑定の依頼を申し込む。この申込みも、書面や電話でもよいが、原則としてＡＪＡＳサイト２のホームページに申し込む。この際、名前や住所といった個人情報から評価を依頼する商品の種類、保存状況、登録証の内容、鑑定書、認定書の内容といった商品情報を申告して貰う。
【００１５】
ＡＪＡＳサイト２は、これらの申込みを審査し、自己のホームページのオークション会場への出品を了承すると、Ｓｅｌｌｅｒ端末３に商品の現物をＡＪＡＳサイト２まで持ち込んで貰い、ＡＪＡＳサイト２は、現物による評価を行なって上記した情報の正誤を確認し、商品の画像や附属情報を補足したりする。ＡＪＡＳサイト２は、当該商品のエスティメート下限価格及び上限価格並びに入札期限等をＳｅｌｌｅｒ端末３と交渉後に決定し、そのハードディスク８に格納するとともに、オークション会場に展示する。なお、出品が決まった商品については、その現物をＡＪＡＳサイト２が管理するのが通常である。
【００１６】
このようにしてＡＪＡＳサイト２のオークション会場には多数の商品が出品されるから、Ｂｕｙｅｒ端末４は、商品を閲覧して所望の商品について入札する。図３はＡＪＡＳサイト２のホームページのトップページの画面図であるが、ＡＪＡＳサイト２のホームページのトップには、オークション会場入場（ログイン）、会員登録の他にオークション規約、出品手順、入札手順、オークション開催日程といった多数のメニューが揃えてある。
【００１７】
このうち、会員登録について説明すると、会員申込みのボタンをクリックすると、図４の画面図に示す登録前画面が表われ、これには、オークション規約が掲載されており、各条項すべてに「同意する」のボタンが押されると、始めて会員登録画面が表われるようになっている。このようにするのは、Ｂｕｙｅｒ端末４にオークションの規約や注意事項を厳守して貰って不正行為等を排除するためであり、そのために当該規約等を読んだ後の末尾等に「閉じる」等のボタンを設置し、これをクリックして貰うようにしている。なお、この規約には、このオークションシステムの基本的事項を記してある。
【００１８】
具体的には、ＡＪＡＳサイト２が定めるエスティメート下限価格と上限価格とがあり、この価格範囲内では、最高価格を入札した者が落札することが原則である。しかし、エスティメート上限価格を超えて最終入札価格が設定してあり、この最終入札価格内の価格を入札したすべての者に対しては、ＡＪＡＳサイト２が定める二次交渉である最終落札者交渉によって落札者が決定する。さらに、最終入札価格を超えた価格での入札は受け付けず、当該入札者には、同様に最終落札者交渉に参加して貰うこと、といったような本システムの重要な規則が記載されている。以上の会員登録画面に所要の事項を記入すると、会員情報確認画面が表われるから、これを確認すると、会員登録後画面が表われるといった仕組みになっている。
【００１９】
さらに、ログインについて説明すれば、ログインボタンを押すと、図５の画面図に示す「ご利用上の注意」として、「会員はオークション規約を遵守する義務がある。」旨の警告及び「オークション規約」がログインごとに表示される。これを読んで同意してはじめて、図６の画面図に示すログインＩＤ、パスワードを入力できる画面が表われるようになっている。なお、非会員についても、非会員専用の入口が設けられている。したがって、これを経て初めて図７に示す商品一覧画面が表示されることになる。この理由は、上記と同様であり、このオークションシステムの規約を十分に遵守して貰うためである。ところで、この商品一覧画面は、会員、非会員を問わないで閲覧できるが、これより先の情報の入手は、会員と非会員とで分かれる。
【００２０】
具体的には、図７の商品一覧画面のより詳細な情報を記してある図８の画面図に示す商品詳細画面、前回オークションの情報を記してある前回オークション速報画面とそれに続く商品詳細画面、商品の履歴を記してある商品履歴検索画面といった情報は、非会員であっても閲覧できるようになっている。しかし、入札の状況を掲載している入札画面とそれに続く入札確認画面、会員情報の修正がある場合にそれを記してある会員情報修正画面とそれに続く会員情報確認画面、出展申込画面とそれに続く出展確認画面、各種の情報を掲示する掲示板といったものは会員限定となっている。これらは、情報の性格上、会員に限定されるものであるからである。
【００２１】
このネットオークションにおいて、商品を落札しようとするＢｕｙｅｒ端末４は、商品一覧画面からキー探索等して落札しようとする商品の欄を選ぶ。この欄には、商品の画像付きの詳細な商品情報、エスティメート下限価格及び上限価格並びに入札期限等が掲載されているから、図９の画面図に示すように、当該商品について自己が購入しようとする金額を入札する。さらに、このネットオークションにおいて、一定期間入札がまったくない商品に関しては、商品一覧から掲載を取り下げる措置がなされる。これは、偶然、入札者の嗜好、意向にそぐわずに入札がなかった場合、後々にその現物商品の価値や価格を下げないように守るための措置である。
【００２２】
一般に、オークションで商品を落札しようとする場合には、既に入札されている価格を超えた価格を入札しない限り、落札されることはない。そこで、Ｂｕｙｅｒ端末４は、入札経歴の欄等を閲覧して現在の入札価格を知り、それ以上の金額で入札することになる。この入札価格は、特定金額単位（例えば、１万円或いは５千円）の積み上げ式にするのが効率的である。入札期限が到来すると、ＡＪＡＳサイト２は、エスティメート上下限価格内で最高価格を入札したＢｕｙｅｒ端末４が存在したこと（オークションが成立したこと）を落札速報等で表示する。
【００２３】
この点で、本発明では、落札価格は、エスティメート下限価格と上限価格との範囲に収まるように奨励しているといえる。エスティメート下限価格と上限価格とは、確かな鑑定と価格知識を持った現在日本一の売り上げ本数を誇っている出願人であるＡＪＡＳサイト２が自信を持って定めたものであり、本来、この価格内に納まるのが正常な姿であるからである。これは、ひとえに、一般の愛好家にも（初心者でも）、安心と信頼をもって参加して貰い、オークション自体の評価を高め、その結果、商品市場の拡大を期したものである。落札の通知は、ＡＪＡＳサイト２が落札したＢｕｙｅｒ端末４にメール、Ｅメール、電話或いはＦＡＸで知らせることになる。
【００２４】
落札の連絡を受けたＢｕｙｅｒ端末４は、ＡＪＡＳサイト２に商品の代金を支払うことになる。この支払いは、通常は、現金払いや銀行振込で行なわれるが、電子決済によってもよい。このとき、代金の支払い期限を定め、期限までに支払いがなければ、落札が無効である旨を当該Ｂｕｙｅｒ端末４に告げる。また、会員資格を抹消することも告げる。なお、この場合は、二番目の価格で入札したＢｕｙｅｒ端末４に売却したりすることもあるし、再度、本システムによるオークションを開催することもある。代金を受け取ったＡＪＡＳサイト２は、落札したＢｕｙｅｒ端末４に商品を引き渡す。
【００２５】
落札したＢｕｙｅｒ端末４からその商品の代金を受け取ったＡＪＡＳサイト２は、その代金から成約手数料や出品手数料を差し引いた残りの額をＳｅｌｌｅｒ端末３に支払う。この支払いも、現金払いや銀行振込或いは電子決済によって行なう。このようなオークションによって成約があった場合は、その実績としてＡＪＡＳサイト２のデータベース５に蓄積される。
【００２６】
一方、商品によっては、図１０の画面図に示すように、ＡＪＡＳサイト２が定めたエスティメート上限価格を超えた価格で入札されることがある。本発明は、この場合を全面的に排除するのではなく、本システムに含まれる別の方法の最終落札者交渉で落札者を決定するようにしている。この段階に入ると、作為的、計画的に値段をつり上げる面（通称、サクラ行為）が発生し、その結果、愛好家の正常な相場帯を損なうことになるから、それを阻止したものである。一般に、オークションといえば、このような場合でも、最高価格で入札した者を落札者とするのであるが、本発明では、未然に事故を防止するシステムを採用し、一般愛好家の資産を保全している。なお、最終落札者交渉に移行したことは、ＡＪＡＳサイト２の入札経歴や商品一覧画面の欄で表示する。
【００２７】
この場合には、ＡＪＡＳサイト２は、引き続いて入札を受け付ける旨を表示するとともに、Ｂｕｙｅｒ端末４からの入札を受け付ける。このとき、ＡＪＡＳサイト２は、最終入札価格を定め（この価格は表示しない）、この最終入札価格より高値更新は受け付けないようにしている。そして、エスティメート上限価格から最終入札価格までの範囲で入札したすべてのＢｕｙｅｒ端末４を同列とみなし、各Ｂｕｙｅｒ端末４に最終落札者交渉でＡＪＡＳサイト２が仲介の下で交渉することを告げ、それに参加する意思があるかないかを問う。この最終入札価格は、ＡＪＡＳサイト２が独自の判断で決めるが、その額は、エスティメート上限価格の１５〜２０％増し程度に設定し、あくまで入札者が安全に、落札後においても後悔なく納得できる価格設定を図っている。図１１はこの入札の流れを記した説明図である。
【００２８】
最終落札者交渉に参加する意思があるＢｕｙｅｒ端末４は、その旨をＡＪＡＳサイト２に告げ、ＡＪＡＳサイト２は、最終落札者交渉のやり方や日時を表示するとともに、当該最終落札者交渉によって落札者を決定する旨も表示する。ＡＪＡＳサイト２は、最終落札者交渉に移行された旨を告げるとともに、最終落札者交渉に参加する意思があるＢｕｙｅｒ端末４に最終落札者交渉に参加して貰う。なお、現物を見ながらの従来通りの対面式のオークションシステムによることもある。
【００２９】
この最終落札者交渉とは、ＡＪＡＳサイト２の仲介の下で複数人からなる落札希望者から最終落札者を選定する作業のことである。その基本理念は、たとえ、オークションというスタイルであっても、市場適性価格から逸脱した不適当な相場帯へ入らないように落札指導を促すものである。このために最高入札者を自動的に落札者としないのであり、前述したＡＪＡＳサイト２の理念を害したり、後述するＡＪＡＳサイト２の買い戻し制度の悪用を排除するためでもある。
【００３０】
ところで、以上は、このネットオークションシステムの基本的な仕組みであるが、本発明では、この他に付加的な仕組みが組み込まれることがある。その一つに、ＡＪＡＳサイト２は、落札したＢｕｙｅｒ端末４に対し、その商品をＡＪＡＳが買い取る旨を表示するシステムである。一般に、入札した商品をオークション主催者が買い戻すといったことはあり得ないが、本発明では、これを行うことで一般の入札者にも安心してオークションに参加して貰うのである。なお、買い取り価格については、商品の評価に応じたものであり（その評価はＡＪＡＳサイト２に表記してある）、エスティメート上下限価格内での落札品目の９０％とする。
【００３１】
また、エスティメート上下限価格の範囲内で特定の価格によって入札があった場合、その後、この価格を上回る価格での入札がない状態が一定期間続くと、期限を待たずしてその入札者を落札者とする。図１２は落札者決定までの流れを記した説明図である。迅速な処理を図って落札者に判断の正当性を図るシステムである。同時にさくら行為の排斥も期待している。一般に、ネットオークションというと、入札期限間際に入札が殺到し、それまでは、わずかな入札があった程度で静観状態が続くといわれている。入札の始めには、入札を意図している者或いは入札を妨害しようとする者が様子見を兼ねてわずかに値を付けるためで、これは一種のさくら行為であるが、上記のようなシステムをとることで、これを排斥することができる。
【００３２】
さらに、このネットオークションには、従来の伝統的なセリと入札である対面式のオークションを組み入れることを予定している。具体的には、対面式のオークションにおける各種の入札情報を取り込んで表示することであるが、その最たるものに、対面式のオークションをライブ中継することが考えられる。これによると、対面式のオークションの欠点である、遠隔地であるから参加できない、当日都合が悪くて出席できないといった理由を回避できる上に、オークションの賑わい状態や商品の実況をリアルタイムで見ることができるといった長所を有している。
【図面の簡単な説明】
【００３３】
【図１】本システムの構成図である。
【図２】本システムの運用図である。
【図３】本システムの実行過程における画面図である。
【図４】本システムの実行過程における画面図である。
【図５】本システムの実行過程における画面図である。
【図６】本システムの実行過程における画面図である。
【図７】本システムの実行過程における画面図である。
【図８】本システムの実行過程における画面図である。
【図９】本システムの実行過程における画面図である。
【図１０】本システムの実行過程における画面図である。
【図１１】本システムの実行過程における運用図である。
【図１２】本システムの実行過程における運用図である
【符号の説明】
【００３４】
１  ネットワーク
２  オークション管理運営サイトのサーバ
３  売り手側端末
４  買い手側端末
５  データベース
６  データベース
７  データベース
８  ハードディスク
【図１】
2007193746.tif 000003
【図２】
2007193746.tif 000004
【図３】
2007193746.tif 000005
【図４】
2007193746.tif 000006
【図５】
2007193746.tif 000007
【図６】
2007193746.tif 000008
【図７】
2007193746.tif 000009
【図８】
2007193746.tif 000010
【図９】
2007193746.tif 000011
【図１０】
2007193746.tif 000012
【図１１】
2007193746.tif 000013
【図１２】
2007193746.tif 000014